(57)【要約】【課題】消費者に能動的に行動させ、興味を抱かせ、レスポンスの向上を図る一方、広告デザインの自由度も高い広告用印刷物を提供すること。【解決手段】左右に開くことが出来るように所定の箇所に縦方向の切り込みが入っており、所定の箇所に剥離可能な接着剤が塗布され、圧着されている広告用印刷物であって、さらに左右に開く区画を複数設けるために、広告用印刷物の表面の所定の箇所に横方向に一つ又は複数の切り込みが入っていること。【選択図】図２
0003125503.tif 000002
【実用新案登録請求の範囲】
【請求項１】
左右に開くことが出来るように所定の箇所に縦方向の切り込みが入っており、所定の箇所に剥離可能な接着剤が塗布され、圧着されている広告用印刷物であって、
さらに左右に開く区画を複数設けるために、広告用印刷物の表面の所定の箇所に横方向に一つ又は複数の切り込みが入っていることを特徴とする広告用印刷物。
【請求項２】
広告用印刷物の端部分にミシン目が設けられていることを特徴とする請求項１に記載の広告用印刷物。
【考案の詳細な説明】
【技術分野】
【０００１】
本考案は広告用印刷物、特に興味を持たせて開かせる広告用印刷物に関する。
【背景技術】
【０００２】
従来より広告用印刷物は表面及び裏面に広告が掲載されているのが一般的であり、又葉書等の場合であって、受取人以外の人にみられたくない内容が記載されているような場合、二つ折りにして三方を剥離可能な接着剤を塗布して圧着し、受取った人が所定の箇所より一方側から開いてはじめて内容を知る、といった技術が示されている。
【０００３】
一方、本考案者は、広告を読む人に、本来広告として読んでもらいたい事項を、義務ではなく興味を抱かせて確実に読ませるようにし、広告に掲載された商品等の購買力を高めることを目的として、左右に開くことのできる圧着型の広告用印刷物を考案した（実用新案登録第３０９６６１３号）。
【０００４】
本考案者による前記考案は、消費者に興味を抱かせレスポンスを向上させるのに大いに役立ったが、さらに消費者に能動的に行動させ、興味を抱かせ、レスポンスの向上を図るには不十分であり、広告デザインの自由度も高い広告用印刷物を提供するということについても不十分であった。
【考案の開示】
【考案が解決しようとする課題】
【０００５】
したがって本考案は、消費者に能動的に行動させ、興味を抱かせ、レスポンスの向上を図る一方、広告デザインの自由度も高い広告用印刷物を提供することを目的とする。
【課題を解決するための手段】
【０００６】
前記目的を達成するため、本考案の広告用印刷物は、左右に開くことが出来るように所定の箇所に縦方向の切り込みが入っており、所定の箇所に剥離可能な接着剤が塗布され、圧着されている広告用印刷物であって、さらに左右に開く区画を複数設けるために、広告用印刷物の表面の所定の箇所に横方向に一つ又は複数の切り込みが入っていることからなる。
また、広告用印刷物の端部分にミシン目が設けられていることが好適である。
【０００７】
本考案は興味を惹くようなデザイン及び文章が施された表面を左右に開くことが出来るようになっているが、単に広告を観音開きに左右一枚に開くことができるということではなく、切り込みにより左右のいくつかの区画に分けて開くことが可能である。
【０００８】
縦方向の切り込みは必ずしも直線である必要はなく、曲線でもよい。その位置も中央に限らず、右寄りになったり、左寄りになったり、本考案の目的から逸脱しない限りどのような位置でも良い。
また、横方向の切り込みの数は一つでも複数でも、分ける区画の数に応じて設ければ良く、その位置も広告のデザインにより自由に設定すれば良い。
また、切り込みの構造は完全に切り離した状態でも、ミシン目によるものでも、ジッパー形状によるものでも、消費者が適宜広告を左右に開くことができるものであれば良い。即ち、本考案の目的から逸脱しない限りどのような形式であっても良い。
【０００９】
さらに、広告用印刷物の端部分にミシン目が設けられている場合には、開いた区画をミシン目により簡単に取り外すことが出来るものである。取り外した区画を各種クーポン・チケット等にすることで広告の価値をさらに向上させることも可能である。
【００１０】
また、剥離可能な接着剤は、切り込みの周囲を除く全面に塗布しても良いし、切り込み及び広告用印刷物の周囲に塗布しても良い。即ち、広告用印刷物を消費者が区画に応じて開くことが出来ればどのように塗布されていてもよい。また剥離可能な接着剤は、再接着可能な接着剤も含む意味である。開いた区画を元にもどすということを可能にするためである。
【００１１】
なお、広告用印刷物の表面には広告を見ようとする者が中をみてみたいという興味を惹き起こさせるようなデザインを施すことが好適である。また、左右の切り込みは表面又は広告用印刷物の表面を開いた際に見える面（以下、内面という。）のデザインに対応した位置に設けることが好適である。
【００１２】
したがって、広告デザインの自由度が高くなる一方で、消費者は広告に対して能動的に開く行為が増え、レスポンスの向上が期待できるものである。即ち、表面を開くとその内面に具体的かつ詳細な情報が記載されており、開くという行為によってその具体的かつ詳細な情報にも注意がいくことになり、広告の情報を読んでもらえる確率が非常に高くなるものである。
【考案の効果】
【００１３】
本考案は以上の構成を有するので、消費者に能動的に行動させ、興味を抱かせ、レスポンスの向上を図る一方、広告デザインの自由度も高い広告用印刷物を提供することが出来る。
【考案を実施するための最良の形態】
【００１４】
以下、本考案の実施の形態の一例を図面に基づいて説明する。
図１は本考案の広告用印刷物の表面を示す図である。また、図２は本考案の広告用印刷物を開いた状態を示す図である。
表面１の中央区画には縦方向の切り込み２があり、表面１はこの縦方向の切り込み２により、左右に開くことが出来る。さらに表面１には横方向の切り込み３があり、この横方向の切り込みにより、左右に開く部分はいくつかの区画に分けられている。
また、図では広告用印刷物の左右の端はミシン目４が設けられているが、ミシン目４を設けない構成とすることも可能である。
さらに、表面１と内面５とは適宜剥離可能な接着剤により圧着されているものである。剥離可能な接着剤は、切り込みの周囲を除く全面に塗布しても良いし、切り込み及び広告用印刷物の周囲に塗布しても良い。
【００１５】
例えば図１のように、表面には各種車のデザイン等がそれぞれ縦方向の切り込み２及び横方向の切り込み３により分けられた区画に施されており、図２のように消費者が興味のある車が記載された区画を開いた場合、内面５には当該車に対応した情報等が記載されており、さらに、広告用印刷物の端部分にミシン目４がある場合には、開いた区画はミシン目４より取り外すことが可能で、各種クーポンやチケットなどに利用出来る、といった広告用印刷物を提供することが出来る。
【００１６】
また、本考案の広告用印刷物は通常使用されている印刷機で製作するが、そのなかでも特に印刷、加工、製本をひとつの機械（インラインフィニッシングシステムと呼ばれている）で仕上げる方法で製作すると広告用印刷物製作のコストを非常に安くすることが出来るものである。
【図面の簡単な説明】
【００１７】
【図１】本考案の広告用印刷物の表面を示す図である。
【図２】本考案の広告用印刷物を開いた状態を示す図である。
【符号の説明】
【００１８】
１ 表面
２ 縦方向の切り込み
３ 横方向の切り込み
４ ミシン目
５  内面
【図１】
0003125503.tif 000003
【図２】
0003125503.tif 000004